(57)【特許請求の範囲】
【請求項１】
ネットワークを介して接続可能なクライアントの表示部に文書データと広告データとを表示させるサーバであって、
文書データから複数の文書キーワードを抽出して、前記文書データに関連付けて記憶する手段と、
前記抽出された複数の文書キーワードのそれぞれと、それぞれの当該文書キーワードに関連する広告データと、を組み合わせて記憶する手段と、
前記文書データを、前記複数の文書キーワードのそれぞれと組み合わせて記憶された前記広告データと共に、前記クライアントに送信して、当該クライアントの表示部に、前記文書データ内の各文書キーワードを、当該各文書キーワードを示す文字以外の文字とは異なる表示態様で表示させ、かつ、前記文書データ内の各文書キーワードと当該各文書キーワードにそれぞれ関連する前記広告データとの組み合わせをそれぞれ視覚的に統一させた表示態様により表示させる手段と、を含むサーバ。
【請求項２】
前記組み合わせて記憶する手段は、前記抽出された複数の文書キーワードのそれぞれと、それぞれの当該文書キーワードに関連する広告データと、当該広告データの見出しデータと、を組み合わせて記憶し、
前記表示させる手段は、前記文書データを、前記複数の文書キーワードのそれぞれと組み合わせて記憶された前記広告データ及び当該広告データの見出しデータと共に、前記クライアントに送信して、当該クライアントの表示部に、前記文書データと前記広告データ及び当該広告データの見出しデータとを表示させ、かつ、前記文書データ内の各文書キーワードを、当該各文書キーワードを示す文字以外の文字とは異なる表示態様で表示させ、かつ、前記文書データ内の各文書キーワードと当該各文書キーワードにそれぞれ関連する前記見出しデータとの組み合わせをそれぞれ視覚的に統一させた表示態様により表示させる、請求項１に記載のサーバ。
【請求項３】
前記視覚的に統一させた表示態様は、前記文書キーワードを示す文字の背景と、前記広告データ又は前記見出しデータを示す文字の背景の色を同系色とする態様であることを特徴とする、請求項２に記載のサーバ。
【請求項４】
前記視覚的に統一させた表示態様は、前記文書キーワードを示す文字と、前記広告データ又は前記見出しデータを示す文字と、のフォント、スタイル、サイズ、色のうち少なくとも１つを同様とする態様であることを特徴とする、請求項２または請求項３に記載のサーバ。
【請求項５】
前記視覚的に統一させた表示態様は、前記文書キーワードを示す文字と、前記広告データ又は前記見出しデータを示す文字と、に同様の下線を引く態様であることを特徴とする、請求項２乃至請求項４のいずれか１項に記載のサーバ。
【請求項６】
前記視覚的に統一させた表示態様は、前記文書キーワードを示す文字と、前記広告データ又は前記見出しデータを示す文字と、を同様の囲み線で囲む態様であることを特徴とする、請求項２乃至請求項５のいずれか１項に記載のサーバ。
【請求項７】
前記視覚的に統一させた表示態様は、前記文書キーワードを示す文字と、前記広告データ又は前記見出しデータを示す文字と、を同様に点滅させて表示する態様であることを特徴とする、請求項２乃至請求項６のいずれか１項に記載のサーバ。
【請求項８】
前記視覚的に統一させた表示態様は、前記文書キーワードを示す文字と、前記広告データ又は前記見出しデータを示す文字と、を同様に振動させて表示する態様であることを特徴とする、請求項２乃至請求項７のいずれか１項に記載のサーバ。
【請求項９】
前記視覚的に統一させた表示態様は、前記文書キーワードを示す文字と、前記広告データ又は前記見出しデータを示す文字と、を同様に反復的に伸縮させて表示する態様であることを特徴とする、請求項２乃至請求項８のいずれか１項に記載のサーバ。
【請求項１０】
前記組み合わせて記憶する手段は、前記広告データに関する体系化された概念に基づいて互いに関連を持ち合いながら前記広告データに関するオントロジーに登録された語句に基づいて関連付けを実行することを特徴とする、請求項１乃至請求項９のいずれか１項に記載のサーバ。
【請求項１１】
サーバに、ネットワークを介して接続可能なクライアントの表示部に文書データと広告データとを表示させるためのプログラムであって、
文書データから複数の文書キーワードを抽出して、前記文書データに関連付けて記憶する機能と、
前記抽出された複数の文書キーワードのそれぞれと、それぞれの当該文書キーワードに関連する広告データと、を組み合わせて記憶する機能と、
前記文書データを、前記複数の文書キーワードのそれぞれと組み合わせて記憶された前記広告データと共に、前記クライアントに送信して、当該クライアントの表示部に、前記文書データ内の各文書キーワードを、当該各文書キーワードを示す文字以外の文字とは異なる表示態様で表示させ、かつ、前記文書データ内の各文書キーワードと当該各文書キーワードにそれぞれ関連する前記広告データとの組み合わせをそれぞれ視覚的に統一させた表示態様により表示させる機能と、を実現させるためのプログラム。
【請求項１２】
サーバに、前記抽出された複数の文書キーワードのそれぞれと、それぞれの当該文書キーワードに関連する広告データと、当該広告データの見出しデータと、を組み合わせて記憶する機能と、
前記文書データを、前記複数の文書キーワードのそれぞれと組み合わせて記憶された前記広告データ及び当該広告データの見出しデータと共に、前記クライアントに送信して、当該クライアントの表示部に、前記文書データと前記広告データ及び当該広告データの見出しデータとを表示させ、かつ、前記文書データ内の各文書キーワードを、当該各文書キーワードを示す文字以外の文字とは異なる表示態様で表示させ、かつ、前記文書データ内の各文書キーワードと当該各文書キーワードにそれぞれ関連する前記見出しデータとの組み合わせをそれぞれ視覚的に統一させた表示態様により表示させる機能と、を更に実現させる請求項１１に記載のプログラム。
【請求項１３】
サーバに、ネットワークを介して接続可能なクライアントの表示部に文書データと広告データとを表示させる方法であって、
文書データから複数の文書キーワードを抽出して、前記文書データに関連付けて記憶する手順と、
前記抽出された複数の文書キーワードのそれぞれと、それぞれの当該文書キーワードに関連する広告データと、を組み合わせて記憶する手順と、
前記文書データを、前記複数の文書キーワードのそれぞれと組み合わせて記憶された前記広告データと共に、前記クライアントに送信して、当該クライアントの表示部に、前記文書データ内の各文書キーワードを、当該各文書キーワードを示す文字以外の文字とは異なる表示態様で表示させ、かつ、前記文書データ内の各文書キーワードと当該各文書キーワードにそれぞれ関連する前記広告データとの組み合わせをそれぞれ視覚的に統一させた表示態様により表示させる手順と、を前記サーバに実行させる方法。
【請求項１４】
前記抽出された複数の文書キーワードのそれぞれと、それぞれの当該文書キーワードに関連する広告データと、当該広告データの見出しデータと、を組み合わせて記憶手順と、
前記文書データを、前記複数の文書キーワードのそれぞれと組み合わせて記憶された前記広告データ及び当該広告データの見出しデータと共に、前記クライアントに送信して、当該クライアントの表示部に、前記文書データと前記広告データ及び当該広告データの見出しデータとを表示させ、かつ、前記文書データ内の各文書キーワードを、当該各文書キーワードを示す文字以外の文字とは異なる表示態様で表示させ、かつ、前記文書データ内の各文書キーワードと当該各文書キーワードにそれぞれ関連する前記見出しデータとの組み合わせをそれぞれ視覚的に統一させた表示態様により表示させる手順と、を更に前記サーバに実行させる請求項１３に記載の方法。
【発明の詳細な説明】
【技術分野】
【０００１】
本発明は、広告出力サーバ、広告出力プログラム及び広告出力方法に関する。
【背景技術】
【０００２】
情報技術の進歩及びインターネットの普及に伴い、広告媒体としてのウェブページの活用はますます進んでいる。現在では、ウェブページに広告を出力する方法は極めて通常に用いられている。また、広告効果を高めるために、ウェブページのコンテンツに関連性のある広告を出力する方法も通常に用いられている。
【０００３】
このような状況において、広告を出稿した広告主だけでなく、ウェブページを提供する事業者にとっても、出力した広告がウェブページの訪問者によって実際に閲覧される確率を高めることは重要な経営上の課題となっている。何故なら、当該ウェブページを提供するウェブサーバにより、当該ウェブページの訪問者のクリック操作等を検出し、当該広告が実際に閲覧されたか否かに関する情報を収集することは可能であり、当該広告が実際に閲覧された回数に応じて広告料が支払われる場合があるからである。
【０００４】
このような経営上の課題を解決するために、ウェブページの訪問者を、出力した広告によりスムーズに誘導する方法を提供することが、技術的課題としてますます重要なものとなっており、このような技術的課題を解決するために様々な方法が提案されている。例えば、特許文献１には、ウェブページのコンテンツに関連性のある広告を供給するための方法及び装置が開示されている。
【特許文献１】特表２００６−５００６９８号公報
【発明の開示】
【発明が解決しようとする課題】
【０００５】
しかしながら、ウェブページのコンテンツに関連性のある広告を出力したとしても、現実には当該広告が当該ウェブページの訪問者の関心を引かない場合もある。その理由として、当該ウェブページの訪問者にとって、当該ウェブページのコンテンツと当該広告の関連性が分かりにくく、当該ウェブページの訪問者が、当該広告に視点を移すことなく見過ごしてしまう可能性があることが考えられる。
【０００６】
そこで、本発明は、ウェブページのコンテンツに関連性のある広告を提示する際に、当該ウェブページのコンテンツと当該広告の関連性を分かりやすく出力し、当該ウェブページのコンテンツと当該広告の橋渡しをすることで、当該ウェブページの訪問者の視点をよりスムーズに当該広告に誘導し、当該広告が実際に閲覧されることを促すことができる広告出力サーバ、広告出力プログラム及び広告出力方法を提供することを目的とする。
【課題を解決するための手段】
【０００７】
上記の課題を解決するために、本発明は以下のようなものを提供する。
【０００８】
本発明の請求項１に記載の構成は、文書データから文書キーワードを抽出して、前記文書データに関連付けて記憶する手段（例えば、図３の文書キーワード抽出部２１１０が相当）と、前記文書キーワードに広告データを関連付けて記憶する手段（例えば、図３の広告データ引当て部２１２０が相当）と、前記文書キーワードに関連付けられた前記広告データを、関連付けられた前記文書キーワードを含む前記文書データと共に出力する手段（例えば、図３のデータ出力部２１３０が相当）と、出力した前記広告データに関連付けられた前記文書キーワードと、関連付けられた前記広告データと、の関連を示す態様で出力する手段（例えば、図３のデータ出力部２１３０が相当）と、を含むサーバ（例えば、図３のサーバ２０）を含む。
【０００９】
本発明の請求項１に記載の構成によれば、前記サーバは、文書データから文書キーワードを抽出して、前記文書データに関連付けて記憶し、前記文書キーワードに前記広告データを関連付けて記憶し、前記文書キーワードに関連付けられた前記広告データを、関連付けられた前記文書キーワードを含む前記文書データと共に出力し、出力した前記広告データに関連付けられた前記文書キーワードと、関連付けられた前記広告データと、の関連を示す態様で出力する。
【００１０】
従って、前記サーバは、当該ウェブページのコンテンツと当該広告の関連を示す態様で出力することによって、当該ウェブページの訪問者に対して関連性を分かりやすく出力し、当該ウェブページのコンテンツと当該広告の橋渡しをすることで、当該ウェブページの訪問者の視点をよりスムーズに広告に誘導し、当該広告が実際に閲覧されることを促すことができる。
【００１１】
その結果、当該ウェブページに広告を出稿する広告主としては、当該ウェブページの訪問者が当該広告を閲覧する機会が増えることから、当該広告による宣伝効果がより高まることが期待できる。また、当該ウェブページを提供する事業者としては、同じく当該ウェブページの訪問者が当該広告を閲覧する機会が増えることから、当該広告による広告収入が増加することが期待できる。
【００１２】
なお、本発明の請求項１に記載の構成は、クライアントがコンピュータであるか、携帯電話端末であるか、その他のモバイル通信端末等であるかに係らず、有効であるものとする。
【００１３】
本発明の請求項２に記載の構成は、請求項１に記載の構成に加えて、前記広告データの見出しデータを前記広告データと関連付けて記憶する手段（例えば、図３の広告データ引当て部２１２０が相当）と、前記広告データに関連付けられた見出しデータを、前記文書キーワードに関連付けられた前記広告データ及び関連付けられた前記文書キーワードを含む前記文書データと共に出力する手段（例えば、図３のデータ出力部２１３０が相当）と、前記見出しデータと、出力した前記広告データに関連付けられた前記文書キーワード及び前記広告データと、の関連を示す態様で出力する手段（例えば、図３のデータ出力部２１３０が相当）と、を更に含むサーバ（例えば、図３のサーバ２０）を含む。
【００１４】
本発明の請求項２に記載の構成によれば、請求項１に記載の作用に加えて、前記サーバは、前記広告データの見出しデータを前記広告データと関連付けて記憶し、前記広告データに関連付けられた見出しデータを、前記文書キーワードに関連付けられた前記広告データ及び関連付けられた前記文書キーワードを含む前記文書データと共に出力し、前記見出しデータと、出力した前記広告データに関連付けられた前記文書キーワード及び前記広告データと、の関連を示す態様で更に出力する。
【００１５】
従って、前記サーバは、前記見出しデータを用いて、当該ウェブページのコンテンツと当該広告の関連を示す態様で出力することによって、当該ウェブページの訪問者に対して関連性を更に分かりやすく出力することができる。
【００１６】
その結果、例え当該広告がフラッシュ（登録商標）等で作成されたバナー広告等であって、当該広告そのものを関連を示す態様で出力することが難しい場合であっても、請求項２に記載の構成によって前記広告データの代わりに前記見出しデータを関連を示す様態で出力することにより、効果的に当該ウェブページのコンテンツと当該広告の橋渡しすることが可能となり、当該ウェブページの訪問者の視点をよりスムーズに当該広告に誘導し、当該広告が実際に閲覧されることを促すことができる。
【００１７】
本発明の請求項３に記載の構成は、請求項２の構成に加えて、前記広告データの前記見出しデータは、前記広告データ及び前記文書キーワードの双方の語句の上位概念の語句により構成されることを特徴とする、サーバ（例えば、図３のサーバ２０）を含む。
【００１８】
本発明の請求項３に記載の構成によれば、請求項２に記載の作用に加えて、前記サーバは、前記広告データの前記見出しデータを、前記広告データ及び前記文書キーワードの双方の語句の上位概念の語句により構成する。
【００１９】
従って、前記サーバは、前記見出しデータを用いて、当該ウェブページのコンテンツと当該広告の関連を示す態様で出力する際に、前記広告データ及び前記文書キーワードの双方の語句の上位概念の語句により構成される前記見出しデータを用いることにより、当該ウェブページの訪問者に対して関連性を更に分かりやすく出力することができる。
【００２０】
その結果、前記見出しデータは、請求項３に記載の構成によって前記広告データ及び前記文書キーワードの双方の語句の上位概念の語句により構成されることにより、その見出し自体がウェブページの訪問者に訴求する可能性がより高くなり、効果的に当該ウェブページのコンテンツと当該広告の橋渡しすることが可能となり、当該ウェブページの訪問者の視点をよりスムーズに当該広告に誘導し、当該広告が実際に閲覧されることを促すことができる。
【００２１】
本発明の請求項４に記載の構成は、請求項３に記載の構成に加えて、前記上位概念の語句は、前記広告データ及び前記文書キーワードの双方の語句を含むオントロジーより導出されることを特徴とする、サーバ（例えば、図３のサーバ２０）を含む。
【００２２】
本発明の請求項４に記載の構成によれば、請求項３に記載の作用に加えて、前記サーバは、前記上位概念の語句は、前記広告データ及び前記文書キーワードの双方の語句を含むオントロジーより導出する。
【００２３】
従って、前記サーバは、前記見出しデータを用いて、当該ウェブページのコンテンツと当該広告の関連を示す態様で出力する際に、前記広告データ及び前記文書キーワードの双方の語句を含むオントロジーより前記上位概念の語句を導出することにより、当該ウェブページの訪問者に対して関連性を更に分かりやすく出力することができる。
【００２４】
その結果、前記見出しデータは、請求項４に記載の構成によって前記広告データ及び前記文書キーワードの双方の語句を含むオントロジーより前記上位概念の語句を導出することにより、ウェブページの訪問者に訴求する上位概念の語句を導出する可能性がより高くなり、効果的に当該ウェブページのコンテンツと当該広告の橋渡しすることが可能となり、当該ウェブページの訪問者の視点をよりスムーズに当該広告に誘導し、当該広告が実際に閲覧されることを促すことができる。
【００２５】
本発明の請求項５に記載の構成は、請求項２乃至４のいずれか１項に記載の構成に加えて、前記関連を示す態様は、前記文書キーワードを示す文字の背景と、前記広告データ又は前記見出しデータを示す文字の背景の色を同系色とする態様であって、かつ、前記文書キーワードを示す文字以外の文字の背景とは異なる態様であることを特徴とする、サーバ（例えば、図３のサーバ２０）を含む。
【００２６】
本発明の請求項５に記載の構成によれば、請求項２乃至４のいずれか１項に記載の作用に加えて、前記サーバは、前記文書キーワードを示す文字の背景と、前記広告データ又は前記見出しデータを示す文字の背景の色を同系色とする態様であって、かつ、前記文書キーワードを示す文字以外の文字の背景とは異なる態様であるようにする。
【００２７】
従って、前記サーバは、前記文書キーワードを示す文字の背景と、前記広告データ又は前記見出しデータを示す文字の背景の色を同系色とする態様であって、かつ、前記文書キーワードを示す文字以外の文字の背景とは異なる態様で出力することによって、色彩による視覚的な統一感を演出し、当該ウェブページのコンテンツと当該広告の関連を示す態様で出力することによって、当該ウェブページの訪問者に対して関連性を分かりやすく出力することができる。
【００２８】
その結果、特に当該ウェブページのコンテンツの背景の色が統一されているような場合に、請求項５に記載の構成によって最も簡便かつ効果的に当該ウェブページのコンテンツと当該広告の橋渡しをすることが可能となり、当該ウェブページの訪問者の視点をよりスムーズに当該広告に誘導し、当該広告が実際に閲覧されることを促すことができる。
【００２９】
本発明の請求項６に記載の構成は、請求項２乃至５のいずれか１項に記載の構成に加えて、前記関連を示す態様は、前記文書キーワードを示す文字と、前記広告データ又は前記見出しデータを示す文字と、のフォント、スタイル、サイズ、色のうち少なくとも１つを同様とする態様であって、かつ、前記文書キーワードを示す文字以外の文字とは異なる態様であることを特徴とする、サーバ（例えば、図３のサーバ２０）を含む。
【００３０】
なお、前記スタイルは、太字及び斜体などの文字効果を含んでよい。
【００３１】
本発明のうち請求項６に記載の構成によれば、２乃至５のいずれか１項に記載の作用に加えて、前記サーバは、前記文書キーワードを示す文字と、前記広告データ又は前記見出しデータを示す文字と、のフォント、スタイル、サイズ、色のうち少なくとも１つを同様とする態様であって、かつ、前記文書キーワードを示す文字以外の文字とは異なる態様であるようにする。
【００３２】
従って、前記サーバは、前記文書キーワードを示す文字と、前記広告データ又は前記見出しデータを示す文字と、のフォント、スタイル、サイズ、色のうち少なくとも１つを同様とする態様であって、かつ、前記文書キーワードを示す文字以外の文字とは異なる態様で出力することによって、形状、大きさ、色彩等による視覚的な統一感を演出し、当該ウェブページのコンテンツと当該広告の関連を示す態様で出力することによって、当該ウェブページの訪問者に対して関連性を分かりやすく出力することができる。
【００３３】
その結果、特に当該ウェブページのコンテンツの文字のフォント、スタイル、サイズ、色のうち少なくとも１つが統一されているような場合に、請求項６に記載の構成によって最も簡便かつ効果的に当該ウェブページのコンテンツと当該広告の橋渡しをすることが可能となり、当該ウェブページの訪問者の視点をよりスムーズに当該広告に誘導し、当該広告が実際に閲覧されることを促すことができる。
【００３４】
本発明のうち請求項７に記載の構成は、請求項２乃至６のいずれか１項に記載の構成に加えて、前記関連を示す態様は、前記文書キーワードを示す文字と、前記広告データ又は前記見出しデータの文字と、に同様の下線を引く態様であって、かつ、前記文書キーワードを示す文字以外の文字とは異なる態様であることを特徴とする、サーバ（例えば、図３のサーバ２０）を含む。
【００３５】
本発明のうち請求項７に記載の構成によれば、請求項２乃至６のいずれか１項に記載の作用に加えて、前記サーバは、前記文書キーワードを示す文字と、前記広告データ又は前記見出しデータを示す文字と、に同様の下線を引く態様であって、かつ、前記文書キーワードを示す文字以外の文字とは異なる態様であるようにする。
【００３６】
従って、前記サーバは、前記文書キーワードを示す文字と、前記広告データ又は前記見出しデータを示す文字と、に同様の下線を引く態様であって、かつ、前記文書キーワードを示す文字以外の文字とは異なる態様で出力することによって、形状による視覚的な統一感を演出し、当該ウェブページのコンテンツと当該広告の関連を示す態様で出力することによって、当該ウェブページの訪問者に対して関連性を分かりやすく出力することができる。
【００３７】
その結果、特に当該ウェブページのコンテンツの文字に下線が引かれていないような場合に、請求項７に記載の構成によって最も簡便かつ効果的に当該ウェブページのコンテンツと当該広告の橋渡しをすることが可能となり、当該ウェブページの訪問者の視点をよりスムーズに当該広告に誘導し、当該広告が実際に閲覧されることを促すことができる。
【００３８】
本発明のうち請求項８に記載の構成は、請求項２乃至７のいずれか１項に記載の構成に加えて、前記関連を示す態様は、前記文書キーワードを示す文字と、前記広告データ又は前記見出しデータを示す文字と、を同様の囲み線で囲む態様であって、かつ、前記文書キーワードを示す文字以外の文字とは異なる態様であることを特徴とする、サーバ（例えば、図３のサーバ２０）を含む。
【００３９】
本発明のうち請求項８に記載の構成によれば、請求項２乃至７のいずれか１項に記載の作用に加えて、前記サーバは、前記文書キーワードを示す文字と、前記広告データ又は前記見出しデータを示す文字と、を同様の囲み線で囲む態様であって、かつ、前記文書キーワードを示す文字以外の文字とは異なる態様であるようにする。
【００４０】
従って、前記サーバは、前記文書キーワードを示す文字と、前記広告データ又は前記見出しデータを示す文字と、を同様の囲み線で囲む態様であって、かつ、前記文書キーワードを示す文字以外の文字とは異なる態様で出力することによって、形状による視覚的な統一感を演出し、当該ウェブページのコンテンツと当該広告の関連を示す態様で出力することによって、当該ウェブページの訪問者に対して関連性を分かりやすく出力することができる。
【００４１】
その結果、特に当該ウェブページのコンテンツの文字が囲み線で囲まれていないような場合に、請求項８に記載の構成によって最も簡便かつ効果的に当該ウェブページのコンテンツと当該広告の橋渡しをすることが可能となり、当該ウェブページの訪問者の視点をよりスムーズに当該広告に誘導し、当該広告が実際に閲覧されることを促すことができる。
【００４２】
本発明のうち請求項９に記載の構成は、請求項２乃至８のいずれか１項に記載の構成に加えて、前記広告データ又は前記見出しデータを示す文字の表示位置を、前記文書キーワードを示す文字の表示位置の近傍とすることを特徴とする、サーバ（例えば、図３のサーバ２０）を含む。
【００４３】
本発明のうち請求項９に記載の構成によれば、請求項２乃至８のいずれか１項に記載の作用に加えて、前記サーバは、前記広告データ又は前記見出しデータを示す文字の表示位置を、前記文書キーワードを示す文字の表示位置の近傍とするようにする。
【００４４】
従って、前記サーバは、前記広告データ又は前記見出しデータを示す文字の表示位置を、前記文書キーワードを示す文字の表示位置の近傍とする態様で出力することによって、位置関係による視覚的な統一感を演出し、当該ウェブページのコンテンツと当該広告の関連を示す態様で出力することによって、当該ウェブページの訪問者に対して関連性を分かりやすく出力することができる。
【００４５】
その結果、特に当該ウェブページのコンテンツを表示する領域と広告を表示する領域が近接しているような場合に、請求項９に記載の構成によって最も簡便かつ効果的に当該ウェブページのコンテンツと当該広告の橋渡しをすることが可能となり、当該ウェブページの訪問者の視点をよりスムーズに当該広告に誘導し、当該広告が実際に閲覧されることを促すことができる。
【００４６】
本発明のうち請求項１０に記載の構成は、請求項２乃至９のいずれか１項に記載の構成に加えて、前記文書キーワードを示す文字と、前記広告データ又は前記見出しデータを示す文字と、を同様に点滅させて表示する態様であって、かつ、前記文書キーワードを示す文字以外の文字とは異なる態様であることを特徴とする、サーバ（例えば、図３のサーバ２０）を含む。
【００４７】
本発明のうち請求項１０に記載の構成によれば、請求項２乃至９のいずれか１項に記載の作用に加えて、前記サーバは、前記文書キーワードを示す文字と、前記広告データ又は前記見出しデータを示す文字と、を同様に点滅させて表示する態様であって、かつ、前記文書キーワードを示す文字以外の文字とは異なる態様であるようにする。
【００４８】
従って、前記サーバは、前記文書キーワードを示す文字と、前記広告データ又は前記見出しデータを示す文字と、を同様に点滅させて表示する態様であって、かつ、前記文書キーワードを示す文字以外の文字とは異なる態様で出力することによって、時間経過に伴う変化による視覚的な統一感を演出し、当該ウェブページのコンテンツと当該広告の関連を示す態様で出力することによって、当該ウェブページの訪問者に対して関連性を分かりやすく出力することができる。
【００４９】
その結果、特に当該ウェブページのコンテンツの文字が点滅していないような場合には、請求項１０に記載の構成によって最も簡便かつ効果的に当該ウェブページのコンテンツと当該広告の橋渡しをすることが可能となり、当該ウェブページの訪問者の視点をよりスムーズに当該広告に誘導し、当該広告が実際に閲覧されることを促すことができる。
【００５０】
本発明のうち請求項１１に記載の構成は、請求項２乃至１０のいずれか１項に記載の構成に加えて、前記文書キーワードを示す文字と、前記広告データ又は前記見出しデータを示す文字と、を同様に振動させて表示する態様であって、かつ、前記文書キーワードを示す文字以外の文字とは異なる態様であることを特徴とする、サーバ（例えば、図３のサーバ２０）を含む。
【００５１】
本発明のうち請求項１１に記載の構成によれば、請求項２乃至１０のいずれか１項に記載の作用に加えて、前記サーバは、前記文書キーワードを示す文字と、前記広告データ又は前記見出しデータを示す文字と、を同様に振動させて表示する態様であって、かつ、前記文書キーワードを示す文字以外の文字とは異なる態様であるようにする。
【００５２】
従って、前記サーバは、前記文書キーワードを示す文字と、前記広告データ又は前記見出しデータを示す文字と、を同様に振動させて表示する態様であって、かつ、前記文書キーワードを示す文字以外の文字とは異なる態様で出力することによって、時間経過に伴う変化による視覚的な統一感を演出し、当該ウェブページのコンテンツと当該広告の関連を示す態様で出力することによって、当該ウェブページの訪問者に対して関連性を分かりやすく出力することができる。
【００５３】
その結果、特に当該ウェブページのコンテンツの文字が振動していないような場合には、請求項１１に記載の構成によって最も簡便かつ効果的に当該ウェブページのコンテンツと当該広告の橋渡しをすることが可能となり、当該ウェブページの訪問者の視点をよりスムーズに当該広告に誘導し、当該広告が実際に閲覧されることを促すことができる。
【００５４】
本発明のうち請求項１２に記載の構成は、請求項２乃至１１のいずれか１項に記載の構成に加えて、前記文書キーワードを示す文字と、前記広告データ又は前記見出しデータを示す文字と、を同様に反復的に伸縮させて表示する態様であって、かつ、前記文書キーワードを示す文字以外の文字とは異なる態様であることを特徴とする、サーバ（例えば、図３のサーバ２０）を含む。
【００５５】
本発明のうち請求項１２に記載の構成によれば、請求項２乃至１１のいずれか１項に記載の作用に加えて、前記サーバは、前記文書キーワードを示す文字と、前記広告データ又は前記見出しデータを示す文字と、を同様に反復的に伸縮させて表示する態様であって、かつ、前記文書キーワードを示す文字以外の文字とは異なる態様であるようにする。
【００５６】
従って、前記サーバは、前記文書キーワードを示す文字と、前記広告データ又は前記見出しデータを示す文字と、を同様に反復的に伸縮させて表示する態様であって、かつ、前記文書キーワードを示す文字以外の文字とは異なる態様で出力することによって、時間経過に伴う変化による視覚的な統一感を演出し、当該ウェブページのコンテンツと当該広告の関連を示す態様で出力することによって、当該ウェブページの訪問者に対して関連性を分かりやすく出力することができる。
【００５７】
その結果、特に当該ウェブページのコンテンツの文字が伸縮していないような場合には、請求項１２に記載の構成によって最も簡便かつ効果的に当該ウェブページのコンテンツと当該広告の橋渡しをすることが可能となり、当該ウェブページの訪問者の視点をよりスムーズに当該広告に誘導し、当該広告が実際に閲覧されることを促すことができる。
【００５８】
本発明のうち請求項１３に記載の構成は、請求項２乃至１２のいずれか１項に記載の構成に加えて、前記文書キーワードに前記広告データを関連付けて記憶する手段は、前記広告データに関するオントロジーに基づいて関連付けを実行することを特徴とする、サーバ（例えば、図３のサーバ２０）を含む。
【００５９】
本発明のうち請求項１３に記載の構成によれば、請求項２乃至１２のいずれか１項に記載の作用に加えて、前記サーバは、前記文書キーワードに前記広告データを関連付けて記憶する手段により、前記広告データに関するオントロジーに基づいて関連付けを実行する。
【００６０】
ここで、オントロジーとは一般には概念の体系であり、前記広告データに関するオントロジーとは広告の概念を体系化したものである。前記広告データに関するオントロジーの中では、広告データに関するキーワードは、体系化された概念に基づいて互いに関連を持ち合いながら登録されている。例えば、「○○自動車」というキーワードは、直接的に「クルマ」「自動車」といったキーワードと結びついているだけではなく、体系化された概念に基づいて「買う」「転職する」「タイヤ」「ドライブ」「株価」などといったキーワードとも結びついている。
【００６１】
すなわち、前記広告データに関するオントロジーに基づいて関連付けを実行する場合、前記サーバは、前記文書キーワード及び前記広告データの広告キーワードを、体系化された概念に基づいて互いに関連を持ち合いながら前記広告データに関するオントロジーに登録されているキーワードと、多面的にマッチングさせて関連付けを実行する。
【００６２】
その結果、前記サーバは、当該ウェブページのコンテンツと当該広告の組み合わせを、可能性がある複数の選択肢の中からシミュレーションを経て抽出することができ、当該ウェブページのコンテンツと当該広告が妥当な関連性を持つ確率を高めることができる。更に、請求項２乃至１２のいずれか１項に記載の構成と組み合わせて、当該ウェブページのコンテンツと当該広告の橋渡しをすることで、当該ウェブページの訪問者の視点をよりスムーズに当該広告に誘導し、当該広告が実際に閲覧されることを促すことができる。
【００６３】
本発明のうち請求項１４に記載の構成は、請求項２乃至１３のいずれか１項に記載の構成に加えて、前記広告データの見出しデータを前記広告データと関連付けて記憶する手段は、前記広告データに関するオントロジーに基づいて関連付けを実行することを特徴とする、サーバ（例えば、図３のサーバ２０）を含む。
【００６４】
本発明のうち請求項１４に記載の構成によれば、請求項２乃至１３のいずれか１項に記載の効果に加えて、前記サーバは、前記広告データの見出しデータを前記広告データと関連付けて記憶する手段により、前記広告データに関するオントロジーに基づいて関連付けを実行する。
【００６５】
すなわち、前記広告データに関するオントロジーに基づいて関連付けを実行する場合、前記サーバは、前記広告データの広告キーワード及び前記見出しデータを、体系化された概念に基づいて互いに関連を持ち合いながら前記広告データに関するオントロジーに登録されているキーワードと、多面的にマッチングさせて関連付けを実行する。
【００６６】
その結果、前記サーバは、当該広告データと前記見出しデータの組み合わせを、可能性がある複数の選択肢の中からシミュレーションを経て抽出することができ、当該広告データと前記見出しデータが妥当な関連性を持つ確率を高めることができる。更に、請求項２乃至１３のいずれか１項に記載の構成と組み合わせて、当該ウェブページのコンテンツと当該広告の橋渡しをすることで、当該ウェブページの訪問者の視点をよりスムーズに当該広告に誘導し、当該広告が実際に閲覧されることを促すことができる。
【００６７】
本発明のうち請求項１５に記載の構成は、前記サーバに、前記文書データから文書キーワードを抽出して、前記文書データに関連付けて記憶する機能と、前記文書キーワードに前記広告データを関連付けて記憶する機能と、前記文書キーワードに関連付けられた前記広告データを、関連付けられた前記文書キーワードを含む前記文書データと共に出力する機能と、出力した前記広告データに関連付けられた前記文書キーワードと、関連付けられた前記広告データと、の関連を示す態様で出力する機能と、を実現させるためのプログラムを含む。
【００６８】
本発明のうち請求項１５に記載の構成によれば、前記プログラムは、前記サーバに、前記文書データから文書キーワードを抽出して、前記文書データに関連付けて記憶させ、前記文書キーワードに前記広告データを関連付けて記憶させ、前記文書キーワードに関連付けられた前記広告データを、関連付けられた前記文書キーワードを含む前記文書データと共に出力させ、出力した前記広告データに関連付けられた前記文書キーワードと、関連付けられた前記広告データと、の関連を示す態様で出力させる。
【００６９】
従って、前記プログラムは、当該ウェブページのコンテンツと当該広告の関連を示す態様で出力することによって、当該ウェブページの訪問者に対して関連性を分かりやすく出力し、当該ウェブページのコンテンツと当該広告の橋渡しをすることで、当該ウェブページの訪問者の視点をよりスムーズに広告に誘導し、当該広告が実際に閲覧されることを促すことができる。
【００７０】
本発明のうち請求項１６に記載の構成は、請求項１５に記載の構成に加えて、前記サーバに、前記広告データの見出しデータを前記広告データと関連付けて記憶する機能と、前記広告データに関連付けられた見出しデータを、前記文書キーワードに関連付けられた前記広告データ及び関連付けられた前記文書キーワードを含む前記文書データと共に出力する機能と、前記見出しデータと、出力した前記広告データに関連付けられた前記文書キーワード及び前記広告データと、の関連を示す態様で出力する機能と、を実現させるためのプログラムを更に含む。
【００７１】
本発明のうち請求項１６に記載の構成によれば、請求項１５に記載の作用に加えて、前記プログラムは、前記サーバに、前記広告データの見出しデータを前記広告データと関連付けて記憶させ、前記広告データに関連付けられた見出しデータを、前記文書キーワードに関連付けられた前記広告データ及び関連付けられた前記文書キーワードを含む前記文書データと共に出力させ、前記見出しデータと、出力した前記広告データに関連付けられた前記文書キーワード及び前記広告データと、の関連を示す態様で出力させる。
【００７２】
従って、前記プログラムは、前記見出しデータを用いて、当該ウェブページのコンテンツと当該広告の関連を示す態様で出力することによって、当該ウェブページの訪問者に対して関連性を更に分かりやすく出力することができる。その結果、当該ウェブページのコンテンツと当該広告の橋渡しをすることで、当該ウェブページの訪問者の視点をよりスムーズに当該広告に誘導し、当該広告が実際に閲覧されることを促すことができる。
【００７３】
本発明のうち請求項１７に記載の構成は、前記文書データから文書キーワードを抽出して、前記文書データに関連付けて記憶する手順と、前記文書キーワードに前記広告データを関連付けて記憶する手順と、前記文書キーワードに関連付けられた前記広告データを、関連付けられた前記文書キーワードを含む前記文書データと共に出力する手順と、出力した前記広告データに関連付けられた前記文書キーワードと、関連付けられた前記広告データと、の関連を示す態様で出力する手順と、を含む方法を提供する。
【００７４】
本発明のうち請求項１７に記載の構成によれば、前記サーバは、前記文書データから文書キーワードを抽出して、前記文書データに関連付けて記憶し、前記文書キーワードに前記広告データを関連付けて記憶し、前記文書キーワードに関連付けられた前記広告データを、関連付けられた前記文書キーワードを含む前記文書データと共に出力し、出力した前記広告データに関連付けられた前記文書キーワードと、関連付けられた前記広告データと、の関連を示す態様で出力する。
【００７５】
従って、前記方法により、当該ウェブページのコンテンツと当該広告の関連を示す態様で出力することによって、当該ウェブページの訪問者に対して関連性を分かりやすく出力し、当該ウェブページのコンテンツと当該広告の橋渡しをすることで、当該ウェブページの訪問者の視点をよりスムーズに広告に誘導し、当該広告が実際に閲覧されることを促すことができる。
【００７６】
本発明のうち請求項１８に記載の構成は、請求項１７に記載の構成に加えて、前記サーバに、前記広告データの見出しデータを前記広告データと関連付けて記憶する手順と、前記広告データに関連付けられた見出しデータを、前記文書キーワードに関連付けられた前記広告データ及び関連付けられた前記文書キーワードを含む前記文書データと共に出力する手順と、前記見出しデータと、出力した前記広告データに関連付けられた前記文書キーワード及び前記広告データと、の関連を示す態様で出力する手順と、を含む方法を更に提供する。
【００７７】
本発明のうち請求項１８に記載の構成によれば、請求項１７
に記載の作用に加えて、前記サーバは、前記広告データの見出しデータを前記広告データと関連付けて記憶し、前記広告データに関連付けられた見出しデータを、前記文書キーワードに関連付けられた前記広告データ及び関連付けられた前記文書キーワードを含む前記文書データと共に出力し、前記見出しデータと、出力した前記広告データに関連付けられた前記文書キーワード及び前記広告データと、の関連を示す態様で出力する。
【００７８】
従って、前記方法により、前記見出しデータを用いて、当該ウェブページのコンテンツと当該広告の関連を示す態様で出力することによって、当該ウェブページの訪問者に対して関連性を更に分かりやすく出力することができる。その結果、当該ウェブページのコンテンツと当該広告の橋渡しをすることで、当該ウェブページの訪問者の視点をよりスムーズに当該広告に誘導し、当該広告が実際に閲覧されることを促すことができる。
【発明の効果】
【００７９】
本発明によれば、当該ウェブページのコンテンツと当該広告の関連を示す態様で出力することによって、当該ウェブページの訪問者に対して関連性を分かりやすく出力し、当該ウェブページのコンテンツと当該広告の橋渡しをすることで、当該ウェブページの訪問者の視点をよりスムーズに広告に誘導し、当該広告が実際に閲覧されることを促すことができる。
【００８０】
その結果、当該ウェブページに広告を出稿する広告主としては、当該ウェブページの訪問者が当該広告を閲覧する機会が増えることから、当該広告による宣伝効果がより高まることが期待できる。また、当該ウェブページを提供する事業者としては、同じく当該ウェブページの訪問者が当該広告を閲覧する機会が増えることから、当該広告による広告収入が増加することが期待できる。
【発明を実施するための最良の形態】
【００８１】
以下、添付の図面を参照しながら、本発明の好適な実施形態の一例を詳細に説明する。
【００８２】
なお、本発明の好適な実施形態の一例における構成要素は、適宜既存の構成要素等との置き換えが可能であり、また、他の既存の構成要素との組み合わせを含む様々なバリエーションが可能であって、本発明の好適な実施形態の一例の記載をもって、特許請求の範囲に記載された発明の内容を限定するものではない。
【００８３】
図１は、本発明の好適な実施形態の一例に係るコンピュータシステム１の全体構成を表すブロック図である。コンピュータシステム１は、クライアント１０、サーバ２０、文書サーバ４０、広告サーバ５０、オントロジーサーバ６０及び管理端末７０を含んでよく、それぞれがネットワーク３０を介して接続されていてよい。
【００８４】
また、前記クライアント１０、前記サーバ２０、前記文書サーバ４０、前記広告サーバ５０、前記オントロジーサーバ６０及び前記管理端末７０の数には制限はなく、それぞれ必要に応じて１または複数で構成してよく、それぞれ全てが含まれなくてもよい。
【００８５】
また、前記ネットワーク３０は、専用ネットワークであってもよく、公共ネットワークであってもよい。
【００８６】
図２は、本発明の好適な実施形態の一例に係る前記クライアント１０、前記サーバ２０、前記文書サーバ４０、前記広告サーバ５０、前記オントロジーサーバ６０、前記管理端末７０の主要なハードウェア構成を示すブロック図である。
【００８７】
例えば、前記サーバ２０は、制御部２１０、入力部２２０、通信インターフェイス部２３０、表示部２４０、記憶部２５０を含んでよく、バス２６０を介して接続されていてよい。
【００８８】
ここで、前記制御部２１０は、情報の演算、処理を行う情報演算処理装置であり、ＣＰＵ（Ｃｅｎｔｒａｌ  Ｐｒｏｃｅｓｓｉｎｇ  Ｕｎｉｔ）等であってよい。前記制御部２１０は、前記記憶部２５０に記憶された各種プログラムを適宜読み出して実行することにより、本発明に係る各種機能を実現する。
【００８９】
また、前記入力部２２０は、ユーザによる入力の受付を行うためのものであり、キーボード、マウス、タッチパネル及びポインティングデバイス等であってよい。
【００９０】
また、前記通信インターフェイス部２３０は、ネットワーク内で他のコンピュータと通信を行うためのものであり、モデム、ケーブル・モデム及びイーサネット（登録商標）・アダプタ等であってよい。
【００９１】
また、前記表示部２４０は、入力の画面を表示したり、演算結果や処理結果の画面を表示したりするためのものであり、ブラウン管表示装置（ＣＲＴ）、液晶表示装置（ＬＣＤ）等であってよい。
【００９２】
また、前記記憶部２５０は、データを記憶するためのものであり、ローカルメモリ、大容量バルクメモリ、及び当該バルクメモリの検索を効率的に行うために使用するキャッシュメモリ等であってよい。また、前記記憶部２５０を実現するコンピュータ可読媒体としては、電気的、磁気的、光学的、電磁的に実現するものであってよく、より具体的には、半導体記憶装置、磁気テープ、フレキシブルディスク、ランダム・アクセス・メモリ（ＲＡＭ）、リードオンリー・メモリ（ＲＯＭ）、ＣＤ−ＲＯＭ及びＣＤ−Ｒ／ＷとＤＶＤとを含む光ディスク等であってよい。前記記憶部２５０は、前記制御部２１０が適宜読み出して実行する各種プログラムを記憶する。
【００９３】
また、前記クライアント１０、前記文書サーバ４０、前記広告サーバ５０、前記オントロジーサーバ６０及び前記管理端末７０も、前記サーバ２０と同様の構成を有してよい。
【００９４】
図３は、本発明の好適な実施形態の一例に係る前記クライアント１０、前記サーバ２０、前記文書サーバ４０、前記広告サーバ５０、前記オントロジーサーバ６０、前記管理端末７０の主要な機能構成を表すブロック図である。
【００９５】
ここで、前記クライアント１０は、前記サーバ２０から送信されたデータを表示する、表示部１４０を含んでよい。
【００９６】
また、前記サーバ２０は、前記制御部２１０に、文書キーワード抽出部２１１０、広告データ引当て部２１２０、及びデータ出力部２１３０を含んでよい。
【００９７】
また、前記サーバ２０は、前記通信インターフェイス部２３０に、管理端末７０からの要求、文書サーバ４０の文書データ４５１０、広告サーバ５０の広告データ５５１０、広告ＩＤ５５２１、及び広告キーワード５５２２を受信する受信部２３１０、及びクライアント１０の表示部１４０に表示させるデータを送信する送信部２３２０を更に含んでよい。
【００９８】
また、前記サーバ２０は、前記記憶部２５０に、文書ＩＤ４５１１と文書キーワード２５１１を記憶する文書キーワード管理テーブル２５１０、及び前記文書キーワード２５１１と前記広告ＩＤ５５２１及び見出しデータ２５２１を記憶する見出しデータ管理テーブル２５２０を更に含んでよい。
【００９９】
また、前記文書サーバ４０は、記憶部４５０に、文書データ４５１０を含んでよい。
【０１００】
また、前記広告サーバ５０は、記憶部５５０に、広告データ５５１０、及び広告ＩＤ５５２１、広告キーワード５５２２を記憶する広告キーワード管理テーブル５５２０を含んでよい。
【０１０１】
また、オントロジーサーバ６０は、記憶部６５０に、オントロジーデータ６５１０を含んでよい。
【０１０２】
［文書キーワード抽出処理］
【０１０３】
図７は、本発明の好適な実施形態の一例に係る、前記サーバ２０による、文書キーワード抽出処理の手順を示すフローチャートである。
【０１０４】
まず、前記制御部２１０は、前記文書キーワード抽出部２１１０により、所定のタイミングで前記文書データ４５１０及び前記文書ＩＤ４５１１を抽出する。（ステップＳ１１０）
【０１０５】
次に、前記制御部２１０は、前記文書キーワード抽出部２１１０により、前記文書データ４５１０より文書キーワード２５１１を抽出する。（ステップＳ１２０）
【０１０６】
更に、前記制御部２１０は、前記文書キーワード抽出部２１１０により、前記文書ＩＤ４５１１及び前記文書キーワード２５１１を、文書キーワード管理テーブル２５１０に保存する（ステップＳ１３０）。
【０１０７】
具体的には、例えば、図４に示すように、前記文書ＩＤ４５１１の１例である「ａｂｃ１２３」に対して、前記文書キーワード２５１１の１例である「○○自動車」及び「△△マンション」が記憶される。ここで、前記文書ＩＤ４５１１に対して、前記文書キーワード２５１１は、必要に応じて１または複数であってよい。
【０１０８】
このようにして、前記制御部２１０は、前記文書キーワード抽出部２１１０により、前記文書キーワード管理テーブル２５１０に、前記文書ＩＤ４５１１及び前記文書キーワード２５１１を所定のタイミングで記憶する。
【０１０９】
なお、前記文書キーワード抽出処理は、任意のタイミングで実行してよく、例えば、新たな文書データが登録される度に実施してもよいし、１時間に１回、１日１回、等定期的にバッチプログラムを実行することにより実施してもよい。また、前記文書キーワードを抽出する場合には、広告の概念を体系化し、広告の概念を表すキーワードを体系的に登録した前記オントロジーデータ６５１０を使用してもよい。
［広告データ引当て処理］
【０１１０】
図８は、本発明の好適な実施形態の一例に係る、前記サーバ２０による、広告データ引当て処理の手順を示すフローチャートである。
【０１１１】
まず、前記制御部２１０は、前記広告データ引当て部２１２０により、所定のタイミングで文書キーワード管理テーブル２５１０より、文書ＩＤ４５１１及び文書キーワード２５１１を抽出する（ステップＳ２１０）。
【０１１２】
次に、前記制御部２１０は、前記広告データ引当て部２１２０により、前記広告キーワード管理テーブル５５２０より、前記広告ＩＤ５５２１及び前記広告キーワード５５２２を抽出する（ステップＳ２２０）。
【０１１３】
具体的には、例えば、図５に示すように、前記広告ＩＤ５５２１の１例である「１２３ａｂｃ」に対して、前記広告キーワード５５２２の１例である「クルマ」及び「自動車」が保存されており、これらを抽出する。
【０１１４】
次に、前記制御部２１０は、前記広告データ引当て部２１２０により、抽出した前記文書キーワード２５１１と、抽出した前記広告キーワード５５２２を比較する（ステップＳ２３０）。
【０１１５】
次に、前記制御部２１０は、前記広告データ引当て部２１２０により、前記の比較の結果に基づいて、見出しデータ２５２１を生成する（ステップＳ２４０）。
【０１１６】
更に、前記制御部２１０は、前記広告データ引当て部２１２０により、前記広告データ引当て部２１２０により、前記の比較の結果に基づいて、前記文書ＩＤ４５１１、前記広告ＩＤ５５２１及び前記見出しデータ２５２１を、見出しデータ管理テーブル２５２０に保存する（ステップＳ２５０）。
【０１１７】
具体的には、例えば、図６に示すように、前記文書キーワード２５１１の１例である「○○自動車」に対して、前記広告ＩＤ５５２１「１２３ａｂｃ」と前記見出しデータ２５２１「クルマのことなら」の組み合わせ、及び前記広告ＩＤ５５２１「１２３ｊｋｉ」と前記見出しデータ２５２１「転職なら」の組み合わせが保存される。
【０１１８】
このようにして、前記制御部２１０は、前記文書キーワード抽出部２１１０により、前記見出しデータ管理テーブル２５２０に、前記文書キーワード２５１１、前記広告ＩＤ５５２１及び前記見出しデータ２５２１を所定のタイミングで記憶する。
【０１１９】
なお、前記広告データ引当て処理は、任意のタイミングで実行してよく、例えば、新たな文書データが登録される度に実施してもよいし、１時間に１回、１日１回、等定期的にバッチプログラムを実行することにより実施してもよい。また、前記文書キーワードを抽出する場合には、広告の概念を体系化し、広告の概念を表すキーワードを体系的に登録した前記オントロジーデータ６５１０を使用してもよい。
［データ出力処理］
【０１２０】
図９は、本発明の好適な実施形態の一例に係る、前記サーバ２０による、データ出力処理の手順を示すフローチャートである。
【０１２１】
まず、前記制御部２１０は、クライアント１０からの文書出力要求に応じて、前記データ出力部２１３０により、前記文書キーワード管理テーブル２５１０より、要求された文書の文書ＩＤ４５１１に対応する前記文書キーワード２５１１を抽出する（ステップＳ３１０）。
【０１２２】
具体的には、例えば、図４に示すように、前記文書ＩＤ４５１１の１例である前記文書ＩＤ４５１１「ａｂｃ１２３」に対応する、前記文書キーワード２５１１の１例である「○○自動車」及び「△△マンション」を抽出する。
【０１２３】
次に、前記制御部２１０は、前記データ出力部２１３０により、抽出した前記文書キーワード２５１１をキーにして、前記見出しデータ管理テーブル２５２０より、前記広告ＩＤ５５２１及び見出しデータ２５２１を抽出する（ステップＳ３２０）。
【０１２４】
具体的には、例えば、図６に示すように、前記文書キーワード２５１１の１例である「○○自動車」に対応する、前記広告ＩＤ５５２１「１２３ａｂｃ」と前記見出しデータ２５２１「クルマのことなら」の組み合わせ、及び前記広告ＩＤ５５２１「１２３ｊｋｉ」と前記見出しデータ２５２１「転職なら」の組み合わせを抽出する。
【０１２５】
次に、前記制御部２１０は、前記データ出力部２１３０により、抽出した前記文書ＩＤ４５１１及び前記広告ＩＤ５５２１をキーにして、前記文書データ４５１０及び前記広告データ５５１０を抽出する（ステップＳ３３０）。
【０１２６】
更に、前記制御部２１０は、前記データ出力部２１３０により、抽出した前記見出しデータ２５２１と、前記広告データ５５１０に関連付けられた前記文書キーワード２５１１及び前記広告データ５５１０と、の関連を示す態様で出力する（ステップＳ３４０）。
【０１２７】
このようにして、前記制御部２１０は、前記データ出力部２１３０により、抽出した前記見出しデータ２５２１と、前記広告データ５５１０に関連付けられた前記文書キーワード２５１１及び前記広告データ５５１０と、の関連を示す態様で出力する。
【０１２８】
なお、上述の関連を示す態様には様々な方法が採用されてよい。
【０１２９】
また、上述のデータ出力処理は、所定時間毎に繰り返し態様を切り替えてよい。
【０１３０】
また、上述のデータ出力処理は、所定時間毎に繰り返し対象とする前記文書キーワード２５１１、前記見出しデータ２５２１及び前記広告データ５５１０を切り替えてよい。
【０１３１】
図１０は、本発明の好適な実施形態の一例に係る、前記クライアント１０の前記表示部１４０における、前記文書キーワード２５１１を示す文字の背景と、前記広告データ５５１０の背景の色を同系色とする態様であるようにした表示例である。この例では、２５１１ａと５５１０ａの組み合わせ及び２５１１ｂと５５１０ｂの組み合わせが、それぞれ背景の色を同系色とする態様で表示されている。
【０１３２】
図１１は、本発明の好適な実施形態の一例に係る、前記クライアント１０の前記表示部１４０における、前記文書キーワード２５１１を示す文字の背景と、前記見出しデータ２５２１を示す文字の背景の色を同系色とする態様とした表示例である。この例では、２５１１ａと２５２１ａの組み合わせ及び２５１１ｂと２５２１ｂの組み合わせが、それぞれ背景の色を同系色とする態様で表示されている。
【０１３３】
図１２は、本発明の好適な実施形態の一例に係る、前記クライアント１０の前記表示部１４０における、前記文書キーワード２５１１を示す文字と、前記見出しデータ２５２１を示す文字のフォントを同様とする態様とした表示例である。この例では、２５１１ａと２５２１ａの組み合わせ及び２５１１ｂと２５２１ｂの組み合わせが、それぞれフォントを同様とする態様で表示されている。
【０１３４】
図１３は、本発明の好適な実施形態の一例に係る、前記クライアント１０の前記表示部１４０における、前記文書キーワード２５１１を示す文字と、前記見出しデータ２５２１を示す文字のスタイルを同様とする態様とした表示例である。この例では、２５１１ａと２５２１ａの組み合わせはスタイルを同様に斜体とする態様で、２５１１ｂと２５２１ｂの組み合わせはスタイルを同様に太字とする態様で表示されている。
【０１３５】
図１４は、本発明の好適な実施形態の一例に係る、前記クライアント１０の前記表示部１４０における、前記文書キーワード２５１１を示す文字と、前記見出しデータ２５２１を示す文字のサイズを同様とする態様とした表示例である。この例では、２５１１ａと２５２１ａの組み合わせがサイズを同様とする態様で表示されている。
【０１３６】
図１５は、本発明の好適な実施形態の一例に係る、前記クライアント１０の前記表示部１４０における、前記文書キーワード２５１１を示す文字と、前記見出しデータ２５２１を示す文字に同様の下線を引く態様とした表示例および同様の囲み線で囲む態様とした表示例である。この例では、２５１１ａと２５２１ａの組み合わせは下線を引く態様で、２５１１ｂと２５２１ｂの組み合わせは囲み線で囲む態様で表示されている。
【０１３７】
図１６は、本発明の好適な実施形態の一例に係る、前記クライアント１０の前記表示部１４０における、前記文書キーワード２５１１を示す文字の表示位置を、前記見出しデータ２５２１を示す文字の表示位置を近傍とした表示例である。この例では、２５１１ａと２５２１ａの組み合わせ、及び２５１１ｂと２５２１ｂの組み合わせが近傍に表示されている。
【０１３８】
図１７は、本発明の好適な実施形態の一例に係る、前記クライアント１０の前記表示部１４０における、前記文書キーワード２５１１を示す文字と、前記見出しデータ２５２１を示す文字を同様に点滅させて表示する態様とした表示例である。この例では、２５１１ａと２５２１ａの組み合わせが同様に点滅する態様で表示されている。
【０１３９】
図１８は、本発明の好適な実施形態の一例に係る、前記クライアント１０の前記表示部１４０における、前記文書キーワード２５１１を示す文字と、前記見出しデータ２５２１を示す文字を同様に振動させて表示する態様とした表示例である。この例では、２５１１ａと２５２１ａの組み合わせが同様に振動する態様で表示されている。
【０１４０】
図１９は、本発明の好適な実施形態の一例に係る、前記クライアント１０の前記表示部１４０における、前記文書キーワード２５１１を示す文字と、前記見出しデータ２５２１を示す文字を同様に伸縮させて表示する態様とした表示例である。この例では、２５１１ａと２５２１ａの組み合わせが同様に伸縮する態様で表示されている。
【図面の簡単な説明】
【０１４１】
【図１】本発明の好適な実施形態の一例に係るコンピュータシステム１の全体構成を表すブロック図である。
【図２】本発明の好適な実施形態の一例に係る前記クライアント１０、前記サーバ２０、前記文書サーバ４０、前記広告サーバ５０、前記オントロジーサーバ６０、前記管理端末７０の主要なハードウェア構成を示すブロック図である。
【図３】本発明の好適な実施形態の一例に係る前記クライアント１０、前記サーバ２０、前記文書サーバ４０、前記広告サーバ５０、前記オントロジーサーバ６０、前記管理端末７０の主要な機能構成を表すブロック図である。
【図４】本発明の好適な実施形態の一例に係る前記文書キーワード管理テーブル２５１０の図である。
【図５】本発明の好適な実施形態の一例に係る前記広告キーワード管理テーブル５５２０の図である。
【図６】本発明の好適な実施形態の一例に係る前記見出しデータ管理テーブル２５２０の図である。
【図７】本発明の好適な実施形態の一例に係る、前記サーバ２０による、文書キーワード抽出処理の手順を示すフローチャートである。
【図８】本発明の好適な実施形態の一例に係る、前記サーバ２０による、広告データ引当て処理の手順を示すフローチャートである。
【図９】本発明の好適な実施形態の一例に係る、前記サーバ２０による、データ出力処理の手順を示すフローチャートである。
【図１０】本発明の好適な実施形態の一例に係る、前記クライアント１０の前記表示部１４０における、前記文書キーワード２５１１を示す文字の背景と、前記広告データ５５１０を示す文字の背景の色を同系色とする態様とした表示例である。
【図１１】本発明の好適な実施形態の一例に係る、前記クライアント１０の前記表示部１４０における、前記文書キーワード２５１１を示す文字の背景と、前記見出しデータ２５２１を示す文字の背景の色を同系色とする態様とした表示例である。
【図１２】本発明の好適な実施形態の一例に係る、前記クライアント１０の前記表示部１４０における、前記文書キーワード２５１１を示す文字と、前記見出しデータ２５２１を示す文字のフォントを同様とする態様とした表示例である。
【図１３】本本発明の好適な実施形態の一例に係る、前記クライアント１０の前記表示部１４０における、前記文書キーワード２５１１を示す文字と、前記見出しデータ２５２１を示す文字のスタイルを同様とする態様とした表示例である。
【図１４】本発明の好適な実施形態の一例に係る、前記クライアント１０の前記表示部１４０における、前記文書キーワード２５１１を示す文字と、前記見出しデータ２５２１を示す文字のサイズを同様とする態様とした表示例である。
【図１５】図１５は、本発明の好適な実施形態の一例に係る、前記クライアント１０の前記表示部１４０における、前記文書キーワード２５１１を示す文字と、前記見出しデータ２５２１を示す文字に同様の下線を引く態様とした表示例および同様の囲み線で囲む態様とした表示例である。
【図１６】図１６は、本発明の好適な実施形態の一例に係る、前記クライアント１０の前記表示部１４０における、前記文書キーワード２５１１を示す文字の表示位置を、前記見出しデータ２５２１を示す文字の表示位置の近傍とした表示例である。
【図１７】本発明の好適な実施形態の一例に係る、前記クライアント１０の前記表示部１４０における、前記文書キーワード２５１１を示す文字と、前記見出しデータ２５２１を示す文字を同様に点滅させて表示する態様とした表示例である。
【図１８】本発明の好適な実施形態の一例に係る、前記クライアント１０の前記表示部１４０における、前記文書キーワード２５１１を示す文字と、前記見出しデータ２５２１を示す文字を同様に振動させて表示する態様とした表示例である。
【図１９】本発明の好適な実施形態の一例に係る、前記クライアント１０の前記表示部１４０における、前記文書キーワード２５１１を示す文字と、前記見出しデータ２５２１を示す文字を同様に伸縮させて表示する態様とした表示例である。
【符号の説明】
【０１４２】
１０  クライアント
２０  サーバ
３０  ネットワーク
４０  文書サーバ
５０  広告サーバ
６０  オントロジーサーバ
７０  管理端末
１１０、２１０、４１０、５１０、６１０、７１０  制御部
１２０、２２０、４２０、５２０、６２０、７２０  入力部
１３０、２３０、４３０、５３０、６３０、７３０  通信インターフェイス部
１４０、２４０、４４０、５４０、６４０、７４０  表示部
１５０、２５０、４５０、５５０、６５０、７５０  記憶部
１６０、２６０、４６０、５６０、６６０、７６０  バス
２１１０  文書キーワード抽出部
２１２０  広告キーワード引当て部
２１３０  データ出力部
２３１０  受信部
２３２０  送信部
２５１０  文書キーワード管理テーブル
２５１１  文書キーワード
２５２０  見出しデータ管理テーブル
２５２１  見出しデータ
４５１０  文書データ
４５１１  文書ＩＤ
５５１０  広告データ
５５２０  広告キーワード管理テーブル
５５２１  広告ＩＤ
５５２０  広告キーワード
６５１０  オントロジーデータ
【図１】
0004808186.tif 000002
【図２】
0004808186.tif 000003
【図３】
0004808186.tif 000004
【図４】
0004808186.tif 000005
【図５】
0004808186.tif 000006
【図６】
0004808186.tif 000007
【図７】
0004808186.tif 000008
【図８】
0004808186.tif 000009
【図９】
0004808186.tif 000010
【図１０】
0004808186.tif 000011
【図１１】
0004808186.tif 000012
【図１２】
0004808186.tif 000013
【図１３】
0004808186.tif 000014
【図１４】
0004808186.tif 000015
【図１５】
0004808186.tif 000016
【図１６】
0004808186.tif 000017
【図１７】
0004808186.tif 000018
【図１８】
0004808186.tif 000019
【図１９】
0004808186.tif 000020